(57)【要約】      （修正有）【課題】簡易な回路構成で高い線形性と低消費電力を実現することが可能な電力増幅装置を提供する。【解決手段】電力増幅器１００は、増幅用トランジスタＴｒ１、ＲＦ信号の入力端と増幅用トランジスタのベース端子との間に設けられて直流成分を遮断するキャパシタＣ１と、増幅用トランジスタのベース端子にバイアスを印加する、ハイパワーモード用のバイアス回路であるＨＰＭバイアス回路１１０と、増幅用トランジスタのベース端子にバイアスを印加する、ローパワーモード用のバイアス回路であるＬＰＭバイアス回路１２０と、増幅用トランジスタの出力端子に接続される出力整合回路１３０とを含む。【選択図】図２
2017112555.tif 000002
【特許請求の範囲】
【請求項１】
ベース端子に入力される信号を増幅して出力する増幅トランジスタと、
前記増幅トランジスタの出力側に設けられる整合回路に印加される電源電圧と、少なくとも２以上の動作モードに応じて前記増幅用トランジスタのベース端子に印加されるバイアスと、に応じて変化する前記増幅トランジスタの出力の非線形性を補償するバイアス回路を備えることを特徴とする、電力増幅装置。
【請求項２】
前記バイアス回路は、前記増幅トランジスタのベース端子にエミッタがそれぞれ接続される、エミッタサイズの異なる複数のバイアストランジスタを備えることを特徴とする、請求項１に記載の電力増幅装置。
【請求項３】
前記電源電圧が第１モードに応じた第１電圧値の場合は前記複数のバイアストランジスタの一方のみがエミッタ電流を出力し、前記電源電圧が第２モードに応じた前記第１電圧値とは異なる第２電圧値の場合は前記複数のバイアストランジスタの他方のみがエミッタ電流を出力することを特徴とする、請求項２に記載の電力増幅装置。
【請求項４】
請求項１に記載の電力増幅装置を備えることを特徴とする、無線通信装置。
【発明の詳細な説明】
【技術分野】
【０００１】
本発明は、電力増幅装置及び無線通信装置に関する。
【背景技術】
【０００２】
携帯電話やスマートフォン（Ｓｍａｒｔｐｈｏｎｅ）、タブレット（Ｔａｂｌｅｔ）端末等に代表される携帯型の通信装置は、通信装置間で無線通信を実行する際に、中継装置となる基地局との間で定常的に通信を実行する。通常、通信装置は、基地局との距離に応じて高周波信号の送信電力及び受信感度を調整しながら通信を行う。
【０００３】
そして、携帯型の通信装置の飛躍的な普及に伴って、マイクロ波（ｍｉｃｒｏｗａｖｅ）帯の高周波電力増幅器への需要が高まっている。このような高周波電力増幅器への需要の高まりに伴って、高周波電力増幅器に対する低電圧動作化、高効率化、小型・軽量化の要望が一段と強くなっている。低電圧動作化、高効率化、小型・軽量化の実現を目的とした技術としては、例えば特許文献１〜３がある。
【０００４】
また、携帯型の通信装置に搭載される電力増幅器は、内蔵される電池の継続使用時間をより長くするために、消費電力を抑えることが要求されると同時に、隣接チャネル漏洩電力比（Ａｄｊａｃｅｎｔ  Ｃｈａｎｎｅｌ  Ｌｅａｋａｇｅ  Ｒａｔｉｏ；ＡＣＬＲ）を抑えるために高い線形動作も要求される。また電力増幅器は、基地局と通信装置との距離に依存して出力信号の電力を変動させるが、出力信号の電力が小さい場合には、低電源電圧動作や付加回路を工夫するなどして、高い線形性を保ちつつ、より低い消費電力で動作する技術もある（例えば非特許文献１参照）。
【先行技術文献】
【特許文献】
【０００５】
【特許文献１】特開平０８−０３７４３３号公報
【特許文献２】特開２００７−３０６５４３号公報
【特許文献３】特開２０００−２０９０３８号公報
【非特許文献】
【０００６】
【非特許文献１】Bernd Schleicher et. al., “CurrentConsumption Benefit of Adjustable Bias in Low-Power Mode of WCDMA PowerAmplifiers” Proceedings of the 43rd European MicrowaveConference, 2013, pp545-548
【発明の概要】
【発明が解決しようとする課題】
【０００７】
非特許文献１で開示された構成では、出力信号電力が高い時の動作モード（ハイパワーモード：ＨＰＭ）と出力信号電力が低い時の動作モード（ローパワーモード；ＬＰＭ）とに対して、それぞれの信号増幅経路を設けて消費電力の高効率化を図っている。しかし、非特許文献１で開示された構成では、それぞれの信号増幅経路をもうけることによりＩＣのサイズが大きくなることと、スイッチが必要になることとにより、通常、携帯電話用の増幅回路で用いられるＧａＡｓ  ＨＢＴプロセスではなく、より製造値段が高いＢｉＨＥＭＴプロセスでＩＣを製造する必要があり、コストが大きく上昇する。という問題があった。
【０００８】
そこで、本発明は、上記問題に鑑みてなされたものであり、本発明の目的とするところは、簡易な回路構成で高い線形性と低消費電力を実現することが可能な、新規かつ改良された電力増幅装置及び無線通信装置を提供することにある。
【課題を解決するための手段】
【０００９】
上記課題を解決するために、本発明のある観点によれば、ベース端子に入力される信号を増幅して出力する増幅トランジスタと、前記増幅トランジスタの出力側に設けられる整合回路に印加される電源電圧と、少なくとも２以上の動作モードに応じて前記増幅用トランジスタのベース端子に印加されるバイアスと、に応じて変化する前記増幅トランジスタの出力の非線形性を補償するバイアス回路を備えることを特徴とする、電力増幅装置が提供される。
【００１０】
前記バイアス回路は、前記増幅トランジスタのベース端子にエミッタがそれぞれ接続される、エミッタサイズの異なる複数のバイアストランジスタを備えていてもよい。
【００１１】
前記電源電圧が第１モードに応じた第１電圧値の場合は前記複数のバイアストランジスタの一方のみがエミッタ電流を出力し、前記電源電圧が第２モードに応じた前記第１電圧値とは異なる第２電圧値の場合は前記複数のバイアストランジスタの他方のみがエミッタ電流を出力してもよい。
【００１２】
また上記課題を解決するために、本発明の別の観点によれば、上記電力増幅装置を備えることを特徴とする、無線通信装置が提供される。
【発明の効果】
【００１３】
以上説明したように本発明によれば、簡易な回路構成で高い線形性と低消費電力を実現することが可能な、新規かつ改良された電力増幅装置及び無線通信装置を提供することができる。
【図面の簡単な説明】
【００１４】
【図１】非特許文献１で開示された電力増幅器を示す説明図である。
【図２】本発明の実施の形態に係る電力増幅器１００の構成例を示す説明図である。
【図３】本発明の一実施形態に係る電力増幅器１００を備える無線通信装置１０００の構成例を示す説明図である。
【図４】出力と電流Ｉｃｃとの関係を示す説明図である。
【図５】出力とＡＣＬＲとの関係を示す説明図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
＜１．本発明の一実施形態＞
［背景］
まず、本発明の実施の形態に至った背景について説明する。上述したように、携帯電話やスマートフォン、タブレット端末等に代表される携帯型の通信装置は、通信装置間で無線通信を実行する際に、中継装置となる基地局との間で定常的に通信を実行する。通常、通信装置は、基地局との距離に応じて高周波信号の送信電力及び受信感度を調整しながら通信を行う。
【００１７】
そして、携帯型の通信装置の飛躍的な普及に伴って、マイクロ波帯の高周波電力増幅器への需要が高まっている。このような高周波電力増幅器への需要の高まりに伴って、高周波電力増幅器に対する低電圧動作化、高効率化、小型・軽量化の要望が一段と強くなっている（例えば特許文献１〜３等参照）。
【００１８】
また、携帯型の通信装置に搭載される電力増幅器は、内蔵される電池の継続使用時間をより長くするために、消費電力を抑えることが要求されると同時に、隣接チャネル漏洩電力比（ＡＣＬＲ）を抑えるために高い線形動作も要求される。また電力増幅器は、基地局と通信装置との距離に依存して出力信号の電力を変動させるが、出力信号の電力が小さい場合には、低電源電圧動作や付加回路を工夫するなどして、高い線形性を保ちつつ、より低い消費電力で動作する技術もある（例えば非特許文献１参照）。
【００１９】
非特許文献１で開示された構成では、出力信号電力が高い時の動作モード（ハイパワーモード：ＨＰＭ）と出力信号電力が低い時の動作モード（ローパワーモード：ＬＰＭ）とに対して、それぞれの信号増幅経路を設けて消費電力の高効率化を図っている。
【００２０】
図１は、非特許文献１で開示された電力増幅器を示す説明図である。非特許文献１で開示された電力増幅器は、図１に示したようにハイパワーモード用のバイアスとローパワーモード用のバイアスとを備え、ハイパワーモードとローパワーモードとで入力端側と出力端側とに設けられたスイッチを切り替えることで、ハイパワーモード時にはハイパワーモード用のトランジスタで増幅させ、ローパワーモード時にはローパワーモード用のトランジスタで増幅させている。
【００２１】
しかし、しかし、非特許文献１で開示された構成では、それぞれの信号増幅経路をもうけることによりＩＣのサイズが大きくなることと、スイッチが必要になることとにより、通常、携帯電話用の増幅回路で用いられるＧａＡｓ  ＨＢＴプロセスではなく、より製造値段が高いＢｉＨＥＭＴプロセスでＩＣを製造する必要があり、コストが大きく上昇する。という問題があった。
【００２２】
そこで本件発明者は、上述したような背景に鑑み、簡易な回路構成で高い線形性と低消費電力を実現することが可能な電力増幅器に関する技術について鋭意検討を行った。その結果、で本件発明者は、以下で説明するように、信号を増幅するトランジスタのベースに対して、特性が異なる複数のバイアス回路を通じてバイアスを印加することで、簡易な回路構成で高い線形性と低消費電力を実現することが可能な電力増幅器を考案するに至った。
【００２３】
以上、本発明の実施の形態の背景について説明した。続いて、本発明の実施の形態に係る電力増幅器の構成例について説明する。
【００２４】
［構成例］
図２は、本発明の実施の形態に係る電力増幅器１００の構成例を示す説明図である。図２に示した電力増幅器１００は、携帯型の通信装置に搭載されるものであり、出力信号電力が高い時の動作モード（ハイパワーモード：ＨＰＭ）と出力信号電力が低い時の動作モード（ローパワーモード：ＬＰＭ）との２つの動作モードに対応して、入力されるＲＦ信号を増幅する増幅器である。以下、図２を用いて本発明の実施の形態に係る電力増幅器１００の構成例について説明する。
【００２５】
図２に示したように、本発明の実施の形態に係る電力増幅器１００は、増幅用トランジスタＴｒ１、ＲＦ信号の入力端と増幅用トランジスタＴｒ１のベース端子との間に設けられて直流成分を遮断するキャパシタＣ１と、増幅用トランジスタＴｒ１のベース端子にバイアスを印加する、ＨＰＭ用のバイアス回路であるＨＰＭバイアス回路１１０と、増幅用トランジスタＴｒ１のベース端子にバイアスを印加する、ＬＰＭ用のバイアス回路であるＬＰＭバイアス回路１２０と、増幅用トランジスタＴｒ１の出力端子に接続される出力整合回路１３０と、を含んで構成される。
【００２６】
増幅用トランジスタＴｒ１は、例えばバイポーラトランジスタ、ＭＯＳ（Ｍｅｔａｌ  Ｏｘｉｄｅ  Ｓｅｍｉｃｏｎｄｕｃｔｏｒ）電界効果トランジスタ（ｆｉｅｌｄ  ｅｆｆｅｃｔ  ｔｒａｎｓｉｓｔｏｒ）などで構成されうる。
【００２７】
ＨＰＭバイアス回路１１０は、増幅用トランジスタＴｒ１のベース端子にバイアスを印加する回路であり、バイアストランジスタＴｒ１１と、キャパシタＣ１１と、を含んで構成される。ＨＰＭバイアス回路１１０のその他の構成は任意であり、印加するバイアスに応じて構成が適宜決定される。
【００２８】
バイアストランジスタＴｒ１１のエミッタ端子は、図示しない安定化用抵抗を介して増幅用トランジスタＴｒ１のベース端子と接続される。またキャパシタＣ１１は、ＲＦ出力信号の線形性を向上させるためにバイアストランジスタＴｒ１１のベース端子に接続されている。
【００２９】
ＬＰＭバイアス回路１２０は、増幅用トランジスタＴｒ１のベース端子にバイアスを印加する回路であり、バイアストランジスタＴｒ２１と、キャパシタＣ２１と、を含んで構成される。ＬＰＭバイアス回路１２０のその他の構成は任意であり、印加するバイアスに応じて構成が適宜決定される。
【００３０】
バイアストランジスタＴｒ２１のエミッタ端子は、図示しない安定化用抵抗を介して増幅用トランジスタＴｒ１のベース端子と接続される。またキャパシタＣ２１は、ＲＦ出力信号の線形性を向上させるためにバイアストランジスタＴｒ２１のベース端子に接続されている。
【００３１】
出力整合回路１３０は、インピーダンス整合のための回路であり、例えば、コイル（ｃｏｉｌ）などのインダクタ（ｉｎｄｕｃｔｏｒ）と、キャパシタ（ｃａｐａｃｉｔｏｒ）との組み合わせによりインピーダンス（ｅｌｅｃｔｒｉｃａｌ  ｉｍｐｅｄａｎｃｅ）を整合させる回路や、抵抗を用いてインピーダンスを整合させる回路など、インピーダンス整合を行うことが可能な任意の構成の回路が挙げられる。
【００３２】
ＨＰＭバイアス回路１１０及びＬＰＭバイアス回路１２０は、出力整合回路１３０に印加される電源電圧と、それぞれの動作モードに応じて増幅用トランジスタＴｒ１のベース端子に印加されるバイアスと、に応じて変化する非線形性を補償する回路である。このように変化する非線形性を補償するために、例えば、バイアストランジスタＴｒ１１とバイアストランジスタＴｒ２１とのエミッタサイズは異なっている。
【００３３】
バイアストランジスタＴｒ１１とバイアストランジスタＴｒ２１としては、例えば、ＰＮＰ型のバイポーラトランジスタが挙げられる。なお、本発明の実施形態に係るバイアストランジスタＴｒ１１とバイアストランジスタＴｒ２１は、ＰＮＰ型のバイポーラトランジスタに限られず、例えば、ＮＰＮ型のバイポーラトランジスタや、ヘテロ接合バイポーラトランジスタであってもよい。また、本発明の実施形態に係るバイアストランジスタＴｒ１１とバイアストランジスタＴｒ２１は、例えば、電界効果トランジスタであってもよい。
【００３４】
以上、図２を用いて本発明の実施の形態に係る電力増幅器１００の構成例について説明した。続いて、本発明の実施の形態に係る電力増幅器１００の動作例について説明する。
【００３５】
［動作例］
電力増幅器１００は、ＨＰＭバイアス端子とＬＰＭバイアス端子に対して、外部からそれぞれ適切なＤＣ電圧あるいはＤＣ電流を与えることにより、バイアストランジスタＴｒ１１及びバイアストランジスタＴｒ２１のエミッタ電流を調整する。バイアストランジスタＴｒ１１及びバイアストランジスタＴｒ２１のエミッタ電流を調整することで、ＨＰＭ及びＬＰＭにおける適切なバイアス電圧を、増幅用トランジスタＴｒ１のベース端子に与えることができる。
【００３６】
なお、電力増幅器１００を備えた通信機器がＨＰＭとＬＰＭとのどちらで動作するかは、例えば基地局から受信した電波の強度に基づいて決定しうる。すなわち、基地局から受信した電波の強度を算出して、通信機器が基地局から近ければＬＰＭで、基地局から遠ければＨＰＭで、それぞれ動作しうる。
【００３７】
電力増幅器１００を備えた通信機器は、電力増幅器１００を動作させる際のバイアスの一例として、ＨＰＭにおいてはバイアストランジスタＴｒ１１のみエミッタ電流を流し、バイアストランジスタＴｒ２１のエミッタ電流は流さないようにして、逆に、ＬＰＭにおいてはバイアストランジスタＴｒ２１のみエミッタ電流を流し、バイアストランジスタＴｒ１１のエミッタ電流は流さないという設定で動作させることが可能である。
【００３８】
もちろん、バイアストランジスタＴｒ１１、Ｔｒ２１のいずれか一方にのみエミッタ電流を流すのではなく、例えばＨＰＭにおいてはバイアストランジスタＴｒ１１、Ｔｒ２１の両方にエミッタ電流を流し、ＬＰＭにおいてはバイアストランジスタＴｒ２１にのみエミッタ電流を流すような動作が行われても良い。
【００３９】
図２のＨＰＭバイアス回路１１０及びＬＰＭバイアス回路１２０を増幅用トランジスタＴｒ１に接続することにより、増幅用トランジスタＴｒ１のベース端子の電圧はＲＦ入力信号の強度が大きくなってもほぼ一定である。従って、図２に示した電力増幅器１００は、高い線形動作が可能となる。
【００４０】
さらに、増幅用トランジスタＴｒ１のベース端子の電圧がほぼ一定の場合、ＲＦ入力信号が大きくなると増幅用トランジスタＴｒ１のベース−エミッタ間のコンダクタンスが変動し非線形動作を引き起こそうとする。そこで、その増幅用トランジスタＴｒ１のベース−エミッタ間のコンダクタンスの変動分を、バイアストランジスタＴｒ１１、Ｔｒ２１が補償する。増幅用トランジスタＴｒ１のベース−エミッタ間のコンダクタンスの変動分を、バイアストランジスタＴｒ１１、Ｔｒ２１が補償することにより、図２に示した電力増幅器１００は高い線形性が保たれる。また、その補償の度合いは、それぞれのバイアストランジスタＴｒ１１、Ｔｒ２１のサイズやバイアス条件によって異なる。
【００４１】
通常、ＬＰＭにおいてはＨＰＭよりも消費電力の大幅な削減が求められ、増幅用トランジスタにかかる電源電圧とバイアス電流はＨＰＭよりも大きく変化させて、すなわち下げて動作させる。このため、例えば上で述べたバイアスの一例の条件で動作させた場合、高い線形性を保つためにバイアストランジスタが十分に補償するための最適なバイアストランジスタのサイズは大きく異なる。
【００４２】
本実施の形態に係る電力増幅器１００は、ＨＰＭ用、ＬＰＭ用にそれぞれＨＰＭバイアス回路１１０及びＬＰＭバイアス回路１２０を設けて、非線形の補償が十分に行われるようバイアストランジスタのサイズをそれぞれ最適化できるようにしたものである。結果として、図２に示したような簡易な回路追加のみでＬＰＭにおける高い線形性と低消費電力の実現が可能となる。
【００４３】
続いて、本発明の一実施形態に係る電力増幅器１００を備える無線通信装置の構成例について説明する。図３は、本発明の一実施形態に係る電力増幅器１００を備える無線通信装置１０００の構成例を示す説明図である。
【００４４】
図３に示した無線通信装置１０００は、シンセサイザ１０１０と、変調回路１０２０と、高周波増幅器１０３０、１０７０と、フィルタ１０４０、１０８０と、アイソレータ１０５０と、デュプレクサ１０６０と、復調回路１０９０と、アンテナ１１００と、を含んで構成される。
【００４５】
シンセサイザ１０１０は、変調回路１０２０での送信信号の変調や、復調回路１０９０での受信信号の復調に用いられる信号を出力する。変調回路は、供給される送信信号を所定の送信周波数の送信信号に変換する。高周波増幅器１０３０は、変調回路１０２０の出力信号を増幅する。フィルタ１０４０は、例えばバンドパスフィルタで構成され、高周波増幅器１０３０で増幅された高周波信号から、送信波帯域の信号を抽出する。アイソレータ１０５０は、フィルタ１０４０の出力信号をデュプレクサ１０６０へ一方向で供給する。
【００４６】
デュプレクサ１０６０は、アイソレータ１０５０の出力端子に接続される端子、高周波増幅器１０７０の入力端子に接続される端子、アンテナ１１００に接続される端子の３端子を有する。
【００４７】
高周波増幅器１０７０は、アンテナ１１００で受信され、デュプレクサ１０６０から出力される信号を増幅する。フィルタ１０８０は、例えばバンドパスフィルタで構成され、高周波増幅器１０７０の出力信号から送信波帯域の信号を抽出する。復調回路１０９０は、フィルタ１０８０で抽出された信号と、シンセサイザ１０１０から供給される局部発振信号と、を混合することで信号を復調する。
【００４８】
本発明の一実施形態に係る電力増幅器１００を備える無線通信装置は係る例に限定されるものではない。マイクロ波帯の信号を増幅する高周波電力増幅器が用いられるものであれば図３に示したもの以外にも適用が可能である。本発明の一実施形態に係る電力増幅器１００を備える無線通信装置は、低電圧動作化、高効率化、小型・軽量化を図ることが可能となる。
【００４９】
続いて、本発明の一実施形態に係る電力増幅器１００の効果を説明する。例えば、２ＧＨｚ帯の周波数の信号を送信する際に、電力増幅器１００の効果を説明する。
【００５０】
例えば、バイアストランジスタＴｒ２１のエミッタサイズを、バイアストランジスタＴｒ１１のエミッタサイズの倍にして、ＨＰＭで動作させる際にはＨＰＭバイアス端子及びＬＰＭバイアス端子の両方から電流を供給し、ＬＰＭで動作させる際にはＬＰＭバイアス端子のみから電流を供給する。
【００５１】
一例として、バイアストランジスタＴｒ１１のエミッタサイズを５４０ｕｍ２、バイアストランジスタＴｒ２１のエミッタサイズを１０８０ｕｍ２とする。キャパシタＣ１１、Ｃ２１の容量は、それぞれ１０ｐＦ、４．５ｐＦとする。また、ＨＰＭで動作させる際にはＨＰＭバイアス端子及びＬＰＭバイアス端子の両方から０．３ｍＡの電流を供給し、ＬＰＭで動作させる際にはＬＰＭバイアス端子のみから０．２６ｍＡの電流を供給する。また、増幅用トランジスタＴｒ１のエミッタサイズを４０００ｕｍ２程度とする。
【００５２】
図４は、バイアストランジスタＴｒ２１のエミッタサイズを、バイアストランジスタＴｒ１１のエミッタサイズと同じにした場合と、バイアストランジスタＴｒ１１のエミッタサイズの倍にした場合とにおける、出力と電流Ｉｃｃとの関係を示す説明図である。また図５は、同様に、バイアストランジスタＴｒ２１のエミッタサイズを、バイアストランジスタＴｒ１１のエミッタサイズと同じにした場合と、バイアストランジスタＴｒ１１のエミッタサイズの倍にした場合とにおける、上述した条件における出力とＡＣＬＲとの関係を示す説明図である。
【００５３】
なお、図４、５とも、破線がバイアストランジスタＴｒ２１のエミッタサイズを、バイアストランジスタＴｒ１１のエミッタサイズと同じにした場合の特性であり、実線が、バイアストランジスタＴｒ２１のエミッタサイズを、バイアストランジスタＴｒ１１のエミッタサイズの倍にした場合における特性である。
【００５４】
図４に示したように、電流Ｉｃｃは、バイアストランジスタＴｒ２１のエミッタサイズの違いによる変化は見られない。一方図５に示したように、ＡＣＬＲは、バイアストランジスタＴｒ２１のエミッタサイズの違いによる変化が顕著に表れる。すなわち、バイアストランジスタＴｒ２１のエミッタサイズを、バイアストランジスタＴｒ１１のエミッタサイズの倍にすると、同じ出力におけるＡＣＬＲを抑えることができる。ＡＣＬＲを抑えることで、上述した条件で構成された電力増幅器１００は、高い線形性と低消費電力を実現することが可能となる。
【００５５】
＜２．まとめ＞
以上説明したように本発明の実施の形態によれば、出力整合回路１３０に印加される電源電圧と、それぞれの動作モードに応じて増幅用トランジスタＴｒ１のベース端子に印加されるバイアスと、に応じて変化する非線形性を補償するバイアス回路を複数備えた、電力増幅器１００が提供される。かかる電力増幅器１００のバイアス回路は、それぞれ、エミッタサイズが異なるバイアストランジスタを備える。
【００５６】
このように、出力整合回路１３０に印加される電源電圧と、それぞれの動作モードに応じて増幅用トランジスタＴｒ１のベース端子に印加されるバイアスと、に応じて変化する非線形性を補償するバイアス回路を複数備えることで、かかる電力増幅器１００は、簡易な回路構成で高い線形性と低消費電力を実現することが可能となる。
【００５７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５８】
１００    ：電力増幅器
１１０    ：ＨＰＭバイアス回路
１２０    ：ＬＰＭバイアス回路
１３０    ：出力整合回路
Ｃ１      ：キャパシタ
Ｃ１１    ：キャパシタ
Ｃ２１    ：キャパシタ
Ｔｒ１    ：増幅用トランジスタ
Ｔｒ１１  ：バイアストランジスタ
Ｔｒ２１  ：バイアストランジスタ
【図１】
2017112555.tif 000003
【図２】
2017112555.tif 000004
【図３】
2017112555.tif 000005
【図４】
2017112555.tif 000006
【図５】
2017112555.tif 000007